(57)【要約】      （修正有）【課題】足の悪い人や高齢者等が靴下を簡単に痛くなく、きれいに短時間で履くことができる靴下履きを提供する。【解決手段】本体が、下腿部と略同一の大きさを有し、かつ一底面が小径の開口部で他底面が大径の開口部であるメガホン型のプラスチックの筒からなり、小径の開口部の前方部分にべらを設け、かつ側面の後方に、小径の開口部から大径の開口部に亘って切れ目があることを特徴とする。【選択図】なし【実用新案登録請求の範囲】
【請求項１】
本考案は、プラスチック芯を付け収縮があるので靴下を脱ぎ履きするときに便利なために設け、大きなメガホン型（ベラ付き）は必須の形でベラは靴下の爪先部分を整え滑りがよくきれいに履く為メガホン型は足を入れやすく簡単に抜けるように設けたものである。
【請求項２】
また、すぐに足から痛くなく抜けるように平ら紐を引っ張るだけで足から靴下履きが抜けるように設けたもので、布はプラスチックなので皮膚を保護するために設けたものである。
【考案の詳細な説明】
【技術分野】
【０００１】本考案は、大腿骨頭部など、足の悪い人が短時間で靴下を履けることを図ったリハビリなどの多様靴下履きに関する。【０００２】従来の靴下履きはなく、一人で痛い思いをし、三十分以上かかっていたか、もしくは、家族や介護の人に履かせてもらっていた。【０００３】従来の商品なし【０００４】従来の商品なし【０００５】従来の商品なし【０００６】本考案は、このような従来の構成が有していた問題を解決しようとするものであり、リハビリや足の筋肉を鍛えるなど、靴下を早くかつ、きれいに痛くなく履けることを目的とするものである。【０００７】そして、本考案は上記目的を達成するためにあつでのプラスチックを付け、収縮があるので靴下を脱ぎ履きするときに便利なために設け、大きなメガホン型（ベラ付き）は必須の形でベラは靴下の爪先部分を整え滑りがよくきれいに履く為メガホン型は足を入れやすく簡単に抜けるように設けたものである。【０００８】また、第２の課題解決手段は、すぐに足から痛くなく抜けるように平ら紐を引っ張るだけで足から靴下履きが抜けるように設けたもので、布はプラスチックなので皮膚を保護するために設けたものである。【０００９】上記第１の課題解決手段による作用は次の通りである。すなわち、プラスチックの芯は形を維持するにも、足を入れるときにも簡単に出来る。
大きなメガホン型（ベラ付き）はきれいに履け、後方を切った為、すぐに簡単に、痛くないように抜くことが出来る。【０００１０】また、第２の課題解決手段による作用は、平ら紐はすぎに効率よく抜けるため、さらに布は皮膚を保護することに効果を発揮する。
【考案の効果】
【００１１】上記のように本考案のリハビリなどの多様靴下履きは、足の悪い人や高齢者が家で１人で簡単にかつ素早くきれいに履けることが出来る。
【００１２】また、リハビリや筋カアップにも効果を発揮することが出来る。
【考案を実施するための最良の形態】本考案のリハビリ多様靴下履きのベラの部分に靴下の爪先部分につく下を整えて入れてもらい、そのメガホン型の円形の部分に足を入れてもらい引っ張ってもらうだけで簡単にすぐ入ることが出来る。【００１３】以下本考案の実施の形態を図１〜図３に基づいて説明する。【００１４】図においては、１のベラに靴下を整えて入れ、足をその中に入れるためのもので簡単にすぐに抜ける。【００１５】２は収縮があり、靴下を脱ぎ履きする為に必要とされる。【００１６】また３引っ張るだけで１が簡単に抜けるために設けられている。【００１７】４は皮膚の保護のために設けられている。【００１８】以下、上記構成の動作を説明する。
まず、１のベラの部分に靴下の爪先部分を整えて入れ、足を入れて３を引っ張って上にあげ、２の収縮を使い１を抜きはずしたら靴下を履くことが出来る。【００１９】また、本体の後方を切っているため、より抜けやすくなっている。【００２０】また、４が入っていることにより、皮膚を保護することが出来る。
【図面の簡単な説明】
【００２１】
【図１】  本考案の正面からの斜視図である。
【図２】  本考案の使用中の斜視図である。
【図３】  本考案の横から見た斜視図である。
【符号の説明】
【００２１】  １、メガホン型（ベラ付き）    ２、プラスチックの芯
３、平ら紐    ４、布    ５、靴下
【図１】
0003104600.tif 000002
【図２】
0003104600.tif 000003
【図３】
0003104600.tif 000004
【手続補正書】
【提出日】平成15年11月7日(2003.11.7)
【手続補正１】
【補正対象書類名】実用新案登録請求の範囲
【補正対象項目名】全文
【補正方法】変更
【補正の内容】
【実用新案登録請求の範囲】
【請求項１】
本考案は、プラスチック芯を付け収縮があるので靴下を脱ぎ履きするときに便利なために設け、大きなメガホン型（ベラ付き）は必須の形でベラは靴下の爪先部分を整え滑りがよくきれいに履く為メガホン型は足を入れやすく簡単に抜けるように設けたものであり、後方を切っているのは、本発明から足を抜けやすくする為に設けたものである。
【請求項２】
また、すぐに足から痛くなく抜けるように手の少し障害のある方でも平ら紐を引っ張るだけで足から靴下履きが抜けるように設けたもので、布はプラスチックなので皮膚を保護するために設けたものである。
【手続補正２】
【補正対象書類名】明細書
【補正対象項目名】全文
【補正方法】変更
【補正の内容】
【考案の詳細な説明】
【技術分野】
【０００１】本考案は、大腿骨頭部などの手術後の方や、足の悪い人や手に少し障害がある方が短時間で靴下を履けることを図ったリハビリなどの多様靴下履きに関する。【０００２】従来の靴下履きはなく、一人で痛い思いをし、三十分以上かかっていたか、もしくは、なかなか履けない場合もあり、困難だった。
また、一人暮らしでない方は家族や介護の人に履かせてもらっていた。【０００３】従来の商品なし【０００４】従来の商品なし【０００５】従来の商品なし【０００６】本考案は、このような従来の構成が有していた問題を解決しようとするものであり、リハビリや足の筋肉を鍛えるなど、手に少し障害のある方でも靴下を早くかつ、きれいに痛くなく履けることを目的とするものである。【０００７】そして、本考案は上記目的を達成するためにあつでのプラスチックを付け、収縮があるので靴下を脱ぎ履きするときに便利なために設け、大きなメガホン型（ベラ付き）は必須の形でベラは靴下の爪先部分を整え滑りがよくきれいに履く為メガホン型は足を入れやすく簡単に抜けるように設けたものである。【０００８】また、第２の課題解決手段は、すぐに足から痛くなく抜けるように手に少し障害のある方でも、平ら紐を引っ張るだけで足から靴下履きが抜けるように設けたもので、布はプラスチックなので皮膚を保護するために設けたものである。【０００９】上記第１の課題解決手段による作用は次の通りである。すなわち、プラスチックの芯は形を維持するにも、足を入れるときにも簡単に出来る。
大きなメガホン型（ベラ付き）はきれいに履け、後方を切った為、すぐに簡単に、痛くないように抜くことが出来る。【０００１０】また、第２の課題解決手段による作用は、平ら紐はすぎに効率よく抜けるため、さらに布は皮膚を保護することに効果を発揮する。
【考案の効果】
【００１１】上記のように本考案のリハビリなどの多様靴下履きは、手に少し障害のある方や、足の悪い人や高齢者が家で１人で簡単にかつ素早くきれいに履けることが出来る。
【００１２】また、リハビリや筋力アップにも効果を発揮することが出来る。
【考案を実施するための最良の形態】本考案のリハビリ多様靴下履きのベラの部分に靴下の爪先部分につく下を整えて入れてもらいそのメガホン型の円形の部分に足を入れてもらい引っ張ってもらうだけで簡単にすぐ入ることが出来る。【００１３】以下本考案の実施の形態を図１〜図６に基づいて説明する。【００１４】図３においては、１のベラに靴下を整えて入れ、足をその中に入れるためのもので簡単にすぐに抜ける。【００１５】図３の２は収縮があり、靴下を脱ぎ履きする為に必要とされる。【００１６】また、図５の３引っ張るだけで１が簡単に抜けるために設けられている。【００１７】図３の４は皮膚の保護のために設けられている。【００１８】以下、上記構成の動作を説明する。
まず、図５の１のベラの部分に靴下の爪先部分を整えて入れ、足を入れて３を引っ張って上にあげ、２の収縮を使い１を抜きはずしたら靴下を履くことが出来る。【００１９】また、本体の後方を切っているため、より抜けやすくなっている。【００２０】また、図３の４が入っていることにより、皮膚を保護することが出来る。
【図面の簡単な説明】
【００２１】
【図１】  本考案の正面からの斜視図である。
【図２】  本考案の横から見た斜視図である。
【図３】  本考案が靴下を装着した斜視図である。
【図４】  本考案の使用する時の斜視図である。
【図５】  本考案に足を入れ、抜くところの斜視図である。
【図６】 
【符号の説明】
【００２２】  １、メガホン型（ベラ付き）    ２、プラスチックの芯
３、平ら紐    ４、布    ５、靴下
【手続補正３】
【補正対象書類名】図面
【補正対象項目名】全図
【補正方法】変更
【補正の内容】
【図１】
0003104600.tif 000005
【図２】
0003104600.tif 000006
【図３】
0003104600.tif 000007
【図４】
0003104600.tif 000008
【図５】
0003104600.tif 000009
【図６】
0003104600.tif 000010
【手続補正書】
【提出日】平成15年12月19日(2003.12.19)
【手続補正１】
【補正対象書類名】実用新案登録請求の範囲
【補正対象項目名】全文
【補正方法】変更
【補正の内容】
【実用新案登録請求の範囲】
【請求項１】
本考案は、プラスチックの芯を付け収縮があるので靴下を脱ぎ履きする時に便利なために設け、メガホン型の小径の部分にベラを設けてそのベラの後方を切り、切れ目を設けることで靴下を履きやすくしたリハビリなどの多様靴下履き。
【手続補正２】
【補正対象書類名】明細書
【補正対象項目名】全文
【補正方法】変更
【補正の内容】
【考案の詳細な説明】
【技術分野】
【０００１】本考案は、大腿骨頭部などの手術後の方や、足の悪い人や手に少し障害がある方が短時間で靴下を履けることを図ったリハビリなどの多様靴下履きに関する。【０００２】従来の靴下履きはなく、一人で痛い思いをし、三十分以上かかっていたか、もしくは、なかなか履けない場合もあり、困難だった。
また、一人暮らしでない方は家族や介護の人に履かせてもらっていた。【０００３】従来の商品なし【０００４】従来の商品なし【０００５】従来の商品なし【０００６】本考案は、このような従来の構成が有していた問題を解決しようとするものであり、リハビリや足の筋肉を鍛えるなど、手に少し障害のある方でも靴下を早くかつ、きれいに痛くなく履けることを目的とする。【０００７】そして、本考案は上記目的を達成するためにあつでのプラスチックを付け、収縮があるので靴下を脱ぎ履きするときに便利なために設け、メガホン型の小径の部分にベラを設けたものは靴下の爪先部分を整え滑りがよくきれいに履く為メガホン型は足を入れやすく簡単に抜けるように設けたもの。【０００８】また、第２の課題解決手段は、すぐに足から痛くなく抜けるように手に少し障害のある方でも、平ら紐を引っ張るだけで足から靴下履きが抜けるように設けたもので、布はプラスチックなので皮膚を保護するために設けたもの。【０００９】上記第１の課題解決手段による作用は次の通りである。すなわち、プラスチックの芯は形を維持するにも、足を入れるときにも簡単に出来る。
メガホン型の小径の部分にベラを設けたものは、後方を切った為、すぐに簡単に、痛くないように抜くことが出来る。【０００１０】また、第２の課題解決手段による作用は、平ら紐はすぎに効率よく抜けるため、さらに布は皮膚を保護することに効果を発揮する。
【考案の効果】
【００１１】上記のように本考案のリハビリなどの多様靴下履きは、手に少し障害のある方や、足の悪い人や高齢者が家で１人で簡単にかつ素早くきれいに履けることが出来る。
【００１２】また、リハビリや筋力アップにも効果を発揮することが出来る。
【考案を実施するための最良の形態】本考案のリハビリ多様靴下履きのベラの部分に靴下の爪先部分につく下を整えて入れてもらい、そのメガホン型の円形の大径の部分に足を入れてもらい引っ張ってもらうだけで簡単にすぐ入ることが出来る。【００１３】以下本考案の実施の形態を図１〜図６に基づいて説明する。【００１４】図３においては１のベラに靴下を整えて入れ、足をその中に入れるためのもので簡単にすぐに抜ける。【００１５】図３の２は収縮があり、靴下を脱ぎ履きする為に必要とされる。【００１６】また、図５の３引っ張るだけで１が簡単に抜けるために設けられている。【００１７】図３の４は皮膚の保護のために設けられている。【００１８】以下、上記構成の動作を説明する。
まず、図５の１のベラの部分に靴下の爪先部分を整えて入れ、足を入れて３を引っ張って上にあげ、２の収縮を使い１を抜きはずしたら靴下を履くことが出来る。【００１９】また、本体の後方を切っているため、より抜けやすくなっている。【００２０】また、図３の４が入っていることにより、皮膚を保護することが出来る。
【図面の簡単な説明】
【００２１】
【図１】  本考案の正面からの斜視図
【図２】  本考案の横から見た斜視図
【図３】  本考案が靴下を装着した斜視図
【図４】  本考案の使用する時の斜視図
【図５】  本考案に足を入れ、抜くところの斜視図
【図６】  本考案を引っ張り、引き抜く時の斜視図
【符号の説明】
【００２１】１、メガホン型（ベラ付き）    ２、プラスチックの芯
３、平ら紐    ４、布    ５、靴下
【手続補正３】
【補正対象書類名】図面
【補正対象項目名】全図
【補正方法】変更
【補正の内容】
【図１】
0003104600.tif 000011
【図２】
0003104600.tif 000012
【図３】
0003104600.tif 000013
【図４】
0003104600.tif 000014
【図５】
0003104600.tif 000015
【図６】
0003104600.tif 000016
【手続補正書】
【提出日】平成16年4月27日(2004.4.27)
【手続補正１】
【補正対象書類名】実用新案登録請求の範囲
【補正対象項目名】全文
【補正方法】変更
【補正の内容】
【実用新案登録請求の範囲】
【請求項１】
靴下を履くことを容易にするための靴下履きであって、本体が、下腿部と略同一の大きさを有し、かつ一底面が小径の開口部で他底面が大径の開口部であるメガホン型のプラスチックの筒からなり、小径の開口部の前方部分にべらを設け、かつ側面の後方に、小径の開口部から大径の開口部に亘って切れ目があることを特徴とする靴下履き。
【請求項２】
プラスチックの筒の大径の開口部側に平ら紐を設け、かつプラスチックの筒に皮膚を保護するための布を設けたことを特徴とする請求項１に記載の靴下履き。
【手続補正書】
【提出日】平成16年4月27日(2004.4.27)
【手続補正２】
【補正対象書類名】実用新案登録請求の範囲
【補正対象項目名】全文
【補正方法】変更
【補正の内容】
【実用新案登録請求の範囲】
【請求項１】
靴下を履くことを容易にするための靴下履きであって、本体が、下腿部と略同一の大きさを有し、かつ一底面が小径の開口部で他底面が大径の開口部であるメガホン型のプラスチックの筒からなり、小径の開口部の前方部分にべらを設け、かつ側面の後方に、小径の開口部から大径の開口部に亘って切れ目があることを特徴とする靴下履き。
【請求項２】
プラスチックの筒の大径の開口部側に平ら紐を設け、かつプラスチックの筒に皮膚を保護するための布を設けたことを特徴とする請求項１に記載の靴下履き。